(57)【要約】【課題】操作子の軌跡の画像を追記中に操作子の軌跡の画像を容易に識別できるようにする。【解決手段】情報表示装置は、手書きの画像を追記するモードである場合には、反転表示された文字の背景部分および文書中に追記された目印画像の濃度を、追記する画像の濃度より薄い濃度にする。また、情報表示装置は、手書きの画像を追記するモードでない場合には、表示した文書中の文字の濃度、反転表示された文字の背景部分の濃度、文書中に追記された目印画像の濃度および追記した画像の濃度を同じ濃度にする。【選択図】図９
2011076327.tif 000002
【特許請求の範囲】
【請求項１】
画像を表示する表示体と、
画像を表す画像データを記憶する記憶部と、
前記記憶部に記憶されている画像データが表す画像を生成する第１画像生成部と、
移動可能な操作子の位置を示す位置情報を取得する位置情報取得部と、
移動した前記操作子の軌跡を示す画像を前記位置情報取得部で取得された位置情報に応
じて生成する第２画像生成部と、
前記軌跡の画像を前記第１画像生成部で生成された画像に追記するモードと、前記軌跡
の画像を前記第１画像生成部で生成された画像に追記しないモードとを切り替える切替部
と、
前記切替部により切り替えられたモードが前記軌跡の画像を前記第１画像生成部で生成
された画像に追記するモードである場合、前記第１画像生成部で生成された画像中にある
予め定められた属性の画像の濃度を前記第２画像生成部で生成された画像の濃度より薄い
濃度にする濃度変更部と、
前記第２画像生成部で生成された画像を前記濃度変更部で濃度が変更された画像に追記
した画像を前記表示体に表示させる表示体制御部と、
を有する情報表示装置。
【請求項２】
前記切替部により切り替えられたモードが前記軌跡の画像を前記第１画像生成部で生成
された画像に追記するモードである場合、前記第１画像生成部で生成された画像中にある
予め定められた属性の画像の線幅を、変更前より狭い線幅に変更する線幅変更部を有し、
前記表示体制御部は、前記第２画像生成手段で生成された画像を前記線幅変更部で線幅
が変更された画像に追記した画像を前記表示体に表示させること
を特徴とする請求項１に記載の情報表示装置。
【請求項３】
前記切替部により切り替えられたモードが前記軌跡の画像を前記第１画像生成部で生成
された画像に追記するモードでない場合、
前記表示体制御部は、
前記第１画像生成部で生成された画像と前記第２画像生成部で生成された画像とを合成
した画像を前記表示体に表示させること
を特徴とする請求項１または請求項２に記載の情報表示装置。
【請求項４】
画像を表す画像データを記憶した記憶部に記憶されている画像データの画像を生成する
第１画像生成ステップと、
移動可能な操作子の位置を示す位置情報を取得する位置情報取得ステップと、
移動した前記操作子の軌跡を示す画像を前記位置情報取得ステップで取得された位置情
報に応じて生成する第２画像生成ステップと、
前記軌跡の画像を前記第１画像生成ステップで生成された画像に追記するモードと、前
記軌跡の画像を前記第１画像生成ステップで生成された画像に追記しないモードとを切り
替える切替ステップと、
前記切替ステップにより切り替えられたモードが前記軌跡の画像を前記第１画像生成ス
テップで生成された画像に追記するモードである場合、前記第１画像生成ステップで生成
された画像中にある予め定められた属性の画像の濃度を前記第２画像生成ステップで生成
された画像の濃度より薄い濃度にする濃度変更ステップと、
前記第２画像生成ステップで生成された画像を前記濃度変更ステップで濃度が変更され
た画像に追記した画像を、画像を表示する表示体に表示させる表示体制御ステップと
を有する情報表示方法。
【請求項５】
コンピューターを、
画像を表す画像データを記憶した記憶部に記憶されている画像データの画像を生成する
第１画像生成部と、
移動可能な操作子の位置を示す位置情報を取得する位置情報取得部と、
移動した前記操作子の軌跡を示す画像を前記位置情報取得部で取得された位置情報に応
じて生成する第２画像生成部と、
前記軌跡の画像を前記第１画像生成部で生成された画像に追記するモードと、前記軌跡
の画像を前記第１画像生成部で生成された画像に追記しないモードとを切り替える切替部
と、
前記切替部により切り替えられたモードが前記軌跡の画像を前記第１画像生成部で生成
された画像に追記するモードである場合、前記第１画像生成部で生成された画像中にある
予め定められた属性の画像の濃度を前記第２画像生成部で生成された画像の濃度より薄い
濃度にする濃度変更部と、
前記第２画像生成部で生成された画像を前記濃度変更部で濃度が変更された画像に追記
した画像を、画像を表示する表示体に表示させる表示体制御部
として機能させるためのプログラム。
【発明の詳細な説明】
【技術分野】
【０００１】
本発明は、表示された画像に手書きの画像を追記する技術に関する。
【背景技術】
【０００２】
手書きの画像を表示する装置として、特許文献１に開示された手書き文字入力装置があ
る。この手書き文字入力装置は、表示パネル上に透明タブレットが積層されており、文字
の表示を行う。また、ペンで文字の入力を行う場合には、表示画面に文字入力枠が表示さ
れる。この文字入力枠内においてペンで文字を書くと、書いた文字が認識されて表示され
る。
【先行技術文献】
【特許文献】
【０００３】
【特許文献１】特開平８−１８５４７９号公報
【発明の概要】
【発明が解決しようとする課題】
【０００４】
上述した手書き文字入力装置においては、既に表示されている文字と文字表示枠の領域
とが重なっても、表示されている文字とペンの筆跡とが共に表示される。ところで、文字
を表示する場合、例えば、文字の背景を黒とし、文字を白で抜いて表示する反転表示を行
う場合がある。このように、反転表示を行った場合、文字の背景とペンの軌跡とが重なる
と、ペンの軌跡の表示が文字の背景に埋もれてしまい、操作子であるペンの軌跡が見えな
くなってしまう。
【０００５】
本発明は、上述した事情に鑑みてなされたものであり、その目的の一つは、操作子の軌
跡の画像を追記中に操作子の軌跡の画像を容易に識別できるようにすることにある。
【課題を解決するための手段】
【０００６】
上記目的を達成するため、本発明に係る情報表示装置は、画像を表示する表示体と、画
像を表す画像データを記憶する記憶部と、前記記憶部に記憶されている画像データが表す
画像を生成する第１画像生成部と、移動可能な操作子の位置を示す位置情報を取得する位
置情報取得部と、移動した前記操作子の軌跡を示す画像を前記位置情報取得部で取得され
た位置情報に応じて生成する第２画像生成部と、前記軌跡の画像を前記第１画像生成部で
生成された画像に追記するモードと、前記軌跡の画像を前記第１画像生成部で生成された
画像に追記しないモードとを切り替える切替部と、前記切替部により切り替えられたモー
ドが前記軌跡の画像を前記第１画像生成部で生成された画像に追記するモードである場合
、前記第１画像生成部で生成された画像中にある予め定められた属性の画像の濃度を前記
第２画像生成部で生成された画像の濃度より薄い濃度にする濃度変更部と、前記第２画像
生成部で生成された画像を前記濃度変更部で濃度が変更された画像に追記した画像を前記
表示体に表示させる表示体制御部と、を有することを特徴とする。
本発明によれば、操作子の移動の軌跡を示す画像が他の画像より相対的に濃くなるので
、操作子の移動の軌跡を示す画像を容易に識別することが可能となる。
【０００７】
本発明においては、前記切替部により切り替えられたモードが前記軌跡の画像を前記第
１画像生成部で生成された画像に追記するモードである場合、前記第１画像生成部で生成
された画像中にある予め定められた属性の画像の線幅を、変更前より狭い線幅に変更する
線幅変更部を有し、前記表示体制御部は、前記第２画像生成手段で生成された画像を前記
線幅変更部で線幅が変更された画像に追記した画像を前記表示体に表示させる構成として
もよい。
この構成によれば、操作子の移動の軌跡を示す画像と異なる他の画像にある線幅が狭く
なるので、操作子の移動の軌跡を示す画像において、画像の線幅が相対的に広くなり、操
作子の移動の軌跡を示す画像を容易に識別することが可能となる。
【０００８】
本発明において、前記切替部により切り替えられたモードが前記軌跡の画像を前記第１
画像生成部で生成された画像に追記するモードでない場合、前記表示体制御部は、前記第
１画像生成部で生成された画像と前記第２画像生成部で生成された画像とを合成した画像
を前記表示体に表示させる構成としてもよい。この構成によれば、操作子の移動の軌跡を
追記しないモードである場合には、操作子の移動の軌跡を示す画像と異なる他の画像が本
来の濃度で表示されるので、画像データの画像を本来の画像で表示できる。
【０００９】
また、本発明に係る情報表示方法は、画像を表す画像データを記憶した記憶部に記憶さ
れている画像データの画像を生成する第１画像生成ステップと、移動可能な操作子の位置
を示す位置情報を取得する位置情報取得ステップと、移動した前記操作子の軌跡を示す画
像を前記位置情報取得ステップで取得された位置情報に応じて生成する第２画像生成ステ
ップと、前記軌跡の画像を前記第１画像生成ステップで生成された画像に追記するモード
と、前記軌跡の画像を前記第１画像生成ステップで生成された画像に追記しないモードと
を切り替える切替ステップと、前記切替ステップにより切り替えられたモードが前記軌跡
の画像を前記第１画像生成ステップで生成された画像に追記するモードである場合、前記
第１画像生成ステップで生成された画像中にある予め定められた属性の画像の濃度を前記
第２画像生成ステップで生成された画像の濃度より薄い濃度にする濃度変更ステップと、
前記第２画像生成ステップで生成された画像を前記濃度変更ステップで濃度が変更された
画像に追記した画像を、画像を表示する表示体に表示させる表示体制御ステップとを有す
ることを特徴とする。
本発明によれば、操作子の移動の軌跡を示す画像が他の画像より相対的に濃くなるので
、操作子の移動の軌跡を示す画像を容易に識別することが可能となる。
【００１０】
また、本発明に係るプログラムは、コンピューターを、画像を表す画像データを記憶し
た記憶部に記憶されている画像データの画像を生成する第１画像生成部と、移動可能な操
作子の位置を示す位置情報を取得する位置情報取得部と、移動した前記操作子の軌跡を示
す画像を前記位置情報取得部で取得された位置情報に応じて生成する第２画像生成部と、
前記軌跡の画像を前記第１画像生成部で生成された画像に追記するモードと、前記軌跡の
画像を前記第１画像生成部で生成された画像に追記しないモードとを切り替える切替部と
、前記切替部により切り替えられたモードが前記軌跡の画像を前記第１画像生成部で生成
された画像に追記するモードである場合、前記第１画像生成部で生成された画像中にある
予め定められた属性の画像の濃度を前記第２画像生成部で生成された画像の濃度より薄い
濃度にする濃度変更部と、前記第２画像生成部で生成された画像を前記濃度変更部で濃度
が変更された画像に追記した画像を、画像を表示する表示体に表示させる表示体制御部と
して機能させることを特徴とする。
本発明によれば、操作子の移動の軌跡を示す画像が他の画像より相対的に濃くなるので
、操作子の移動の軌跡を示す画像を容易に識別することが可能となる。
【図面の簡単な説明】
【００１１】
【図１】実施形態に係る情報表示装置の外観図。
【図２】情報表示装置のハードウェア構成を示したブロック図。
【図３】情報表示装置の機能構成を示したブロック図。
【図４】情報処理装置が行う処理の流れを示したフローチャート。
【図５】情報表示装置の表示体に表示される画面を示した図。
【図６】情報表示装置の表示体に表示される画面を示した図。
【図７】情報表示装置の表示体に表示される画面を示した図。
【図８】情報表示装置の表示体に表示される画面を示した図。
【図９】情報表示装置の表示体に表示される画面を示した図。
【図１０】情報表示装置の表示体に表示される画面を示した図。
【発明を実施するための形態】
【００１２】
［実施形態］
（実施形態の構成）
図１は、本発明の一実施形態に係る情報表示装置１の外観図である。情報表示装置１は
、文字や図、写真などの画像を表示する装置である。情報表示装置１は、画像を表示する
表示体１００と、情報表示装置１を操作するためのボタン１０などを有している。また、
表示体１００の表面には、ポインティングデバイスの一例である透明なタブレットが積層
されている。スタイラスペン２は、タブレット上の位置を指定するためのペンである。ス
タイラスペン２は、情報表示装置１を操作する操作子の一例である。スタイラスペン２を
タブレットに接触させたり、タブレットに接触させながら移動させたりすることにより、
ユーザーから情報表示装置１への各種指示の入力や、スタイラスペン２の移動軌跡の表示
が行われる。
【００１３】
図２は、情報表示装置１のハードウェア構成を示したブロック図である。図２に示した
ように、情報表示装置１の各部はバス１０１に接続されている。情報表示装置１の各部は
、バス１０１を介して各部間で信号のやり取りを行う。
表示体１００は、本実施形態においては、白黒の表示を行う液晶ディスプレイ装置であ
る。表示体１００は、文字や図、写真、スタイラスペン２の移動軌跡などの画像を表示す
る。
ＶＲＡＭ（Video Random Access Memory）１０９は、表示体１００に表示させる画像を
記憶するメモリーである。
表示体制御部１０７は、表示体１００を駆動する駆動回路を備えている。表示体制御部
１０７は、ＶＲＡＭ１０９に記憶された画像を読み出す。表示体制御部１０７は、ＶＲＡ
Ｍ１０９から読み出した画像を表示体１００に表示させる。
記憶部１０５は、不揮発性メモリーを有しており、表示体１００に表示させる画像を示
す画像データを記憶する。なお、画像データの一例としては、文書を表す文書データがあ
る。
通信部１１０は、パーソナルコンピューターなどのコンピューター装置とデータ通信を
行うインターフェースとして機能する。通信部１１０は、コンピューター装置と通信ケー
ブルで接続され、コンピューター装置から文書データを受信する。通信部１１０で受信さ
れた文書データは、記憶部１０５に記憶される。
【００１４】
タブレット１０８は、表示体１００の表面に積層されている。タブレット１０８は、表
面にスタイラスペン２が触れるとスタイラスペン２が触れた位置を示す信号をＣＰＵ（Ce
ntral Processing Unit）１０２へ出力する。なお、タブレット１０８は透明であり、表
示体１００が表示した画像を透過する。
操作部１０６は、ボタン１０を有しており、操作されたボタンを示す信号をＣＰＵ１０
２へ出力する。タブレット１０８やボタン１０から出力された信号は、ＣＰＵ１０２に入
力される。ＣＰＵ１０２は、入力された信号に応じて情報表示装置１の各部を制御する。
【００１５】
ＣＰＵ１０２はＲＯＭ（Read Only Memory）１０３に記憶されている制御プログラムに
従って動作し、情報表示装置１の各部を制御する。なお、ＣＰＵ１０２は、プログラムを
実行する際に使用するデータをＲＡＭ（Random Access Memory）１０４に記憶する。ＣＰ
Ｕ１０２が制御プログラムを実行すると、記憶部１０５に記憶されている文書データが示
す文書の画像を表示体１００に表示させる機能が実現する。また、ＣＰＵ１０２が制御プ
ログラムを実行すると、タブレット１０８に接触しながら移動したスタイラスペン２の移
動軌跡の画像（即ち、ユーザーによる手書き画像）を表示体１００に表示された文書中に
追記する機能、表示体１００に表示された文書中の文字を反転表示させる機能、表示体１
００に表示された文書中に目印となる画像（以下、目印画像と称する）を追記する機能な
どが実現する。
【００１６】
図３は、ＣＰＵ１０２が制御プログラムを実行することにより実現する機能のうち、画
像の表示に係る機能の構成を示した機能ブロック図である。
目印情報記憶部２０１は、表示体１００に表示する目印画像に関する情報を記憶するブ
ロックである。目印情報記憶部２０１は、目印画像を示す画像データや、目印画像の表示
体１００における表示位置などを記憶する。
手書き情報記憶部２０２は、タブレット１０８においてスタイラスペン２が接触した位
置を示す位置情報を取得して記憶する位置情報取得部の一例である。
反転表示情報記憶部２０３は、文書データが示す文書内において反転表示させる文字の
位置を示すデータ（以下、反転位置データと称する）を記憶するブロックである。なお、
本実施形態の反転位置データは、文字が文書中の何行何列目にあるかを示す。例えば、反
転する文字が５行５列目にある場合、反転位置データは、（５，５）という内容となる。
文書データ記憶部２０４は、文書データを記憶するブロックである。
ＧＵＩ画像記憶部２０５は、表示体１００に表示するＧＵＩ（Graphical User Interfa
ce）の画像を示す画像データを記憶するブロックである。
なお、各記憶部が記憶するデータや情報の実体は、記憶部１０５に記憶される。
【００１７】
目印画像生成部２０６は、目印画像を生成するブロックである。目印画像生成部２０６
は、目印情報記憶部２０１に格納されている画像データと目印画像の表示位置を基にして
目印画像を生成する。目印画像生成部２０６は、生成した目印画像を有する第１のレイヤ
ーを生成し、生成した第１のレイヤーを画像合成部２１０に入力する。
手書き画像生成部２０７は、スタイラスペン２の移動軌跡の画像を生成するブロックで
ある。手書き画像生成部２０７は、手書き情報記憶部２０２に格納されている情報を基に
してスタイラスペン２の移動軌跡の画像を生成する。手書き画像生成部２０７は、生成し
た画像を有する第２のレイヤーを生成し、生成した第２のレイヤーを画像合成部２１０に
入力する。
文書画像生成部２０８は、文書データが示す文書の画像を生成するブロックである。文
書画像生成部２０８は、文書データ記憶部２０４に記憶されている文書データと、反転表
示情報記憶部２０３に格納されている反転位置データを基にして文書の画像を生成する。
文書画像生成部２０８は、生成した画像を有する第３のレイヤーを生成し、生成した第３
のレイヤーを画像合成部２１０に入力する。
ＧＵＩ画像生成部２０９は、ＧＵＩの画像を生成するブロックである。ＧＵＩ画像生成
部２０９は、ＧＵＩ画像記憶部２０５に格納されている画像データを基にしてＧＵＩの画
像を生成する。ＧＵＩ画像生成部２０９は、生成した画像を有する第４のレイヤーを生成
し、生成した第４のレイヤーを画像合成部２１０に入力する。
目印画像生成部２０６、文書画像生成部２０８、ＧＵＩ画像生成部２０９は、記憶部に
記憶された画像データが示す画像を生成する第１画像生成部の一例である。また、手書き
画像生成部２０７は、スタイラスペン２の移動軌跡を示す画像を生成する第２画像生成部
の一例である。
画像合成部２１０は、入力される第１〜第４のレイヤーを重ね、目印画像、スタイラス
ペン２の移動軌跡の画像、文書の画像、およびＧＵＩの画像を合成した画像を生成するブ
ロックである。画像合成部２１０は、合成により得た画像をＶＲＡＭ１０９に書き込む。
【００１８】
（実施形態の動作）
次に、情報表示装置１の動作について説明する。まず、ユーザーが記憶部１０５に記憶
されている文書データの内容の表示を指示する操作を操作部１０６において行うと、文書
データ記憶部２０４に文書データが記憶される。次に、文書画像生成部２０８が、文書デ
ータ記憶部２０４に記憶されている文書データを基にして文書の画像を生成する。文書画
像生成部２０８は、生成した画像を有する第３のレイヤーを画像合成部２１０に入力する
。また、ＧＵＩ画像生成部２０９が、ＧＵＩ画像記憶部２０５に格納されている画像デー
タを基にしてＧＵＩの画像を生成する。ＧＵＩ画像生成部２０９は、生成した画像を有す
る第４のレイヤーを画像合成部２１０に入力する。
【００１９】
画像合成部２１０は、入力された第３のレイヤーと第４のレイヤーを重ね、文書の画像
とＧＵＩの画像を合成した画像を生成する。画像合成部２１０は、合成により得た画像を
ＶＲＡＭ１０９に書き込む。表示体制御部１０７は、画像がＶＲＡＭ１０９に書き込まれ
ると、ＶＲＡＭ１０９に書き込まれた画像を読み出し、読み出した画像を表示体１００に
表示させる。
【００２０】
ここで、図５は、表示体１００に表示された文書の画像とＧＵＩの画像の一例である。
図５に示した画像Ｐ１０は、ＧＵＩの画像である。画像Ｐ１０は、アイコンＩ１１〜アイ
コンＩ１３の画像を有している。
アイコンＩ１１は、スタイラスペン２の移動軌跡を文書中に追記するモードのオンとオ
フの切り替えを行うためのＧＵＩである。ユーザーがスタイラスペン２でアイコンＩ１１
の部分に触れると、スタイラスペン２が触れた位置を示す信号がタブレット１０８からＣ
ＰＵ１０２に入力される。ＣＰＵ１０２は、タブレット１０８から入力された信号の示す
位置がアイコンＩ１１の表示位置である場合、スタイラスペン２の移動軌跡を文書中に追
記するモードのオンとオフとを切り替える。つまり、ＣＰＵ１０２は、モードを切り替え
る切替部として機能する。このモードがオンとなると、ユーザーがスタイラスペン２の移
動軌跡を文書中に追記することが可能となる。
アイコンＩ１２は、反転表示させる文字を指定するモードのオンとオフの切り替えを行
うためのＧＵＩである。ＣＰＵ１０２は、タブレット１０８から入力された信号の示す位
置がアイコンＩ１２の表示位置である場合、反転表示させる文字を指定するモードのオン
とオフとを切り替える。このモードがオンとなると、ユーザーが反転表示させる文字を指
定することが可能となる。
アイコンＩ１３は、目印画像を文書中に追記するモードのオンとオフの切り替えを行う
ためのＧＵＩである。ＣＰＵ１０２は、タブレット１０８から入力された信号の示す位置
がアイコンＩ１３の表示位置である場合、目印画像を文書中に追記するモードのオンとオ
フとを切り替える。このモードがオンとなると、目印画像を文書中に追記することが可能
となる。
【００２１】
ユーザーは、文書中の文字を反転表示させる場合、スタイラスペン２をアイコンＩ１２
の表示位置に接触させ、反転表示させる文字を指定するモードをオンにする。この後、ユ
ーザーは、反転表示させる文字列上でスタイラスペン２を移動させる。スタイラスペン２
がタブレット１０８に触れると、スタイラスペン２が触れた位置を示す信号がタブレット
１０８からＣＰＵ１０２に入力される。ＣＰＵ１０２は、入力される信号を基にして、ス
タイラスペン２が触れた位置に表示されている文字を特定する。ＣＰＵ１０２は、特定し
た文字の位置を反転位置データとする。この反転位置データが反転表示情報記憶部２０３
に記憶される。
文書画像生成部２０８は、反転位置データを反転表示情報記憶部２０３から取得し、文
書データを文書データ記憶部２０４から取得する。文書画像生成部２０８は、取得した文
書データを基にして文書データが示す文書の画像を生成する。なお、文書画像生成部２０
８は、取得した反転位置データが示す位置にある文字の画像については、文字を白、背景
を黒とする。文書画像生成部２０８は、生成した画像を有する第３のレイヤーを画像合成
部２１０に入力する。
【００２２】
画像合成部２１０は、入力された第３のレイヤーと、入力済みの第４のレイヤーを重ね
、文書の画像とＧＵＩの画像を合成した画像を生成する。画像合成部２１０は、合成によ
り得た画像をＶＲＡＭ１０９に書き込む。表示体制御部１０７は、画像がＶＲＡＭ１０９
に書き込まれると、ＶＲＡＭ１０９に書き込まれた画像を読み出し、読み出した画像を表
示体１００に表示させる。すると、図６に例示したように、スタイラスペン２が移動した
部分にある文字列は、文字が白、背景が黒で表示される。
【００２３】
また、ユーザーは、文書中に目印画像を追記する場合、スタイラスペン２をアイコンＩ
１３の表示位置に接触させ、目印画像を文書中に追記するモードをオンにする。この後、
ユーザーは、目印画像を表示させる位置にスタイラスペン２で触れる。スタイラスペン２
がタブレット１０８に触れると、触れた位置を示す信号がタブレット１０８からＣＰＵ１
０２に入力される。ＣＰＵ１０２は、入力される信号を基にして、スタイラスペン２が触
れた位置を目印画像の表示位置として特定する。この特定した表示位置は、目印情報記憶
部２０１に記憶される。
目印画像生成部２０６は、目印画像の画像データと、目印画像の表示位置を目印情報記
憶部２０１から取得する。目印画像生成部２０６は、取得した画像データを基にして画像
データが示す目印画像を生成する。なお、生成される画像においては、目印画像の表示位
置は、目印情報記憶部２０１から取得した表示位置となる。目印画像生成部２０６は、生
成した画像を有する第１のレイヤーを画像合成部２１０に入力する。
【００２４】
画像合成部２１０は、入力された第１のレイヤーと、既に入力されている第３のレイヤ
ーおよび第４のレイヤーを重ね、文書の画像とＧＵＩの画像および目印画像を合成した画
像を生成する。画像合成部２１０は、合成により得た画像をＶＲＡＭ１０９に書き込む。
表示体制御部１０７は、画像がＶＲＡＭ１０９に書き込まれると、ＶＲＡＭ１０９に書き
込まれた画像を読み出し、読み出した画像を表示体１００に表示させる。すると、図７に
例示したように、スタイラスペン２が触れた位置に目印画像Ｐ１１が表示される。
【００２５】
次に、ユーザーは、スタイラスペン２の移動軌跡を文書中に追記する場合、スタイラス
ペン２をアイコンＩ１１の位置に接触させ、スタイラスペン２の移動軌跡を文書中に追記
するモードをオンにする（図４：ステップＳＡ１）。このモードがオンになると（ステッ
プＳＡ２；ＹＥＳ）、画像合成部２１０は、予め定められた属性の画像をディザ法によっ
て処理する。
具体的には、また、画像合成部２１０は、反転表示という属性の画像を有する第３のレ
イヤーをディザ法によって処理し、反転表示されている文字の背景部分の見た目の色を薄
くする（ステップＳＡ３）。また画像合成部２１０は、目印画像という属性の画像を有す
る第１のレイヤーをディザ法によって処理し、目印画像の見た目の色を薄くする（ステッ
プＳＡ４）。つまり、画像合成部２１０は、画像の濃度を変更する濃度変更部の一例であ
る。
画像合成部２１０は、第１、第３、第４のレイヤーを重ね、文書の画像とＧＵＩの画像
および目印画像を合成した画像を生成する（ステップＳＡ５）。画像合成部２１０は、合
成により得た画像をＶＲＡＭ１０９に書き込む。画像合成部２１０は、合成により得た画
像をＶＲＡＭ１０９に書き込む（ステップＳＡ６）。表示体制御部１０７は、画像がＶＲ
ＡＭ１０９に書き込まれると、ＶＲＡＭ１０９に書き込まれた画像を読み出し、読み出し
た画像を表示体１００に表示させる（ステップＳＡ７）。すると、図８に例示したように
、黒で表示されていた目印画像と、反転表示の背景部分の色が薄くなりグレーに見える。
【００２６】
ユーザーは、スタイラスペン２をタブレット１０８に接触させながら移動させる。スタ
イラスペン２がタブレット１０８上を移動すると、スタイラスペン２が触れた位置を示す
信号がタブレット１０８からＣＰＵ１０２に入力される。ＣＰＵ１０２は、タブレット１
０８から入力される信号を取得してスタイラスペン２が触れた位置を特定する。この特定
した位置を示す情報は、手書き情報記憶部２０２に記憶される。手書き画像生成部２０７
は、スタイラスペン２が触れた位置を示す情報を手書き情報記憶部２０２から取得する。
手書き画像生成部２０７は、取得した情報を基にしてスタイラスペン２の移動軌跡の画像
を生成する。手書き画像生成部２０７は、生成した画像を有する第２のレイヤーを画像合
成部２１０に入力する。
画像合成部２１０は、入力されている第１〜第４のレイヤーを重ね、文書の画像、ＧＵ
Ｉの画像、目印画像およびスタイラスペン２の移動軌跡の画像を合成した画像を生成する
。画像合成部２１０は、合成により得た画像をＶＲＡＭ１０９に書き込む。表示体制御部
１０７は、画像がＶＲＡＭ１０９に書き込まれると、ＶＲＡＭ１０９に書き込まれた画像
を読み出し、読み出した画像を表示体１００に表示させる。すると、図９に例示したよう
に、スタイラスペン２の移動軌跡Ｌ１０が表示される。
ここで、図９に示したように、反転表示された文字の背景や目印画像の表示はグレーに
見えるため、スタイラスペン２の移動軌跡の画像が、反転表示された文字の背景や目印画
像に重なっても、移動軌跡の画像が文字の背景部分や目印画像に埋もれてしまうことがな
く、移動軌跡を容易に識別できる。
【００２７】
次に、ユーザーが、スタイラスペン２をアイコンＩ１１の位置に接触させると、スタイ
ラスペン２の移動軌跡を追記するモードがオフになる（ステップＳＡ１）。この機能がオ
フになると（ステップＳＡ２；ＮＯ）、目印画像生成部２０６は、目印情報記憶部２０１
から取得した表示位置と画像データを基にして目印画像を生成する（ステップＳＡ８）。
なお、ここで目印画像はディザ法による処理が行われないため、見た目の色が黒となる。
目印画像生成部２０６は、生成した画像を有する第１のレイヤーを画像合成部２１０に入
力する（ステップＳＡ９）。また、文書画像生成部２０８は、文書データ記憶部２０４か
ら取得した文書データと、反転表示情報記憶部２０３から取得した反転位置データに基づ
いて、文書の画像を生成する（ステップＳＡ１０）。なお、ここで反転表示の背景部分は
ディザ法による処理が行われないため見た目の色が黒となる。文書画像生成部２０８は、
生成した画像を有する第３のレイヤーを画像合成部２１０に入力する（ステップＳＡ１１
）。
【００２８】
画像合成部２１０は、新たに入力された第１、第３のレイヤーと、入力済みの第２、第
４のレイヤーを重ね、文書の画像、ＧＵＩの画像、スタイラスペン２の移動軌跡の画像お
よび目印画像を合成した画像を生成する（ステップＳＡ５）。画像合成部２１０は、合成
により得た画像をＶＲＡＭ１０９に書き込む（ステップＳＡ６）。表示体制御部１０７は
、画像がＶＲＡＭ１０９に書き込まれると、ＶＲＡＭ１０９に書き込まれた画像を読み出
し、読み出した画像を表示体１００に表示させる（ステップＳＡ７）。ここで、反転表示
の背景部分と目印画像はディザ法による処理が行われていないため、図１０に例示したよ
うに、グレーに見えていた目印画像および反転表示の背景部分とが黒に見える。
【００２９】
以上説明したように本実施形態によれば、情報表示装置１は、スタイラスペン２の移動
軌跡の画像、即ち、手書きの画像を追記する場合には、文字以外の画像の色が薄く見える
ように画像処理を行う。このため、黒で表示される手書きの画像が、反転表示や目印画像
と重なっても、移動軌跡の画像が反転表示や目印画像に埋もれることがなく容易に手書き
の画像を識別できる。また、情報表示装置１は、手書きの画像を追記する際には、黒で表
示されている文字については見た目の階調を変更しないので、文書中の文字が見えにくく
なることがない。
【００３０】
［変形例］
以上、本発明の実施形態について説明したが、本発明は上述した実施形態に限定される
ことなく、他の様々な形態で実施可能である。例えば、上述の実施形態を以下のように変
形して本発明を実施してもよい。なお、上述した実施形態及び以下の変形例は、各々を組
み合わせてもよい。
【００３１】
本発明においては、目印画像生成部２０６が、目印画像をディザ法により処理して目印
画像の見た目の階調を変更してもよい。そして、目印画像生成部２０６は、ディザ法によ
り処理された目印画像を有する第１のレイヤーを画像合成部２１０に入力してもよい。こ
の場合、画像合成部２１０においては第１のレイヤーに対してディザ法による処理を行わ
ないようにしてもよい。
また、本発明においては、文書画像生成部２０８が、反転表示されている文字の背景部
分をディザ法により処理して背景部分の見た目の階調を変更してもよい。そして、文書画
像生成部２０８は、ディザ法により処理された画像を有する第３のレイヤーを画像合成部
２１０に入力してもよい。この場合、画像合成部２１０においては第３のレイヤーに対し
てディザ法による処理を行わないようにしてもよい。
【００３２】
上述した実施形態においては、画像合成部２１０は、スタイラスペン２の移動軌跡を追
記するモードがオンになっている場合、線分で描かれた目印画像の見た目の階調を変更し
ているが、スタイラスペン２の移動軌跡を追記するモードがオンになった場合、目印画像
の各線分の太さを細くして目印画像を表示してもよい。つまり、画像合成部２１０は、変
形例においては画像中の線幅を変更する線幅変更部として機能する。
【００３３】
上述した実施形態においては、表示体１００は、白黒の表示を行う液晶ディスプレイ装
置であるが、白黒の表示に限定されるものではない。例えば、青と白や赤と白など、画像
を第１の色と第２の色の二値で表示する表示装置であってもよい。そして、反転表示の背
景や目印画像についてディザ法による処理を行って見た目の階調を変更してもよい。
また、本発明においては、表示体１００は、二色で画像を表示するものに限定されず、
二色以上の色を表示するものであってもよい。
また、表示体１００は、液晶ディスプレイ装置に限定されるものではなく、電気泳動方
式の電子ペーパーなど他の表示装置であってもよい。
また、本発明においては、表示体１００が一つの色について多階調の表示を行えるもの
である場合、ディザ法で見た目の階調を変更するのではなく、文字の背景部分や目印画像
の階調そのものを変更してもよい。
また、上述した実施形態においては、タブレット１０８は表示体１００の表面に積層さ
れているが、タブレット１０８は、情報表示装置１と別々な構成であってもよい。
【００３４】
上述した制御プログラムは、磁気記録媒体（磁気テープ、磁気ディスク（ＨＤＤ（Hard
Disk Drive）、ＦＤ（Flexible Disk））など）、光記録媒体（光ディスク（ＣＤ（Comp
act Disc）、ＤＶＤ（Digital Versatile Disk））など）、光磁気記録媒体、半導体メモ
リーなどのコンピューター読取り可能な記録媒体に記憶した状態で提供し、情報表示装置
１にインストールしてもよい。また、通信回線を介して制御プログラムをダウンロードし
て情報表示装置１にインストールしてもよい。
【符号の説明】
【００３５】
１・・・情報表示装置、２・・・スタイラスペン、１０・・・ボタン、１００・・・表示
体、１０１・・・バス、１０２・・・ＣＰＵ、１０３・・・ＲＯＭ、１０４・・・ＲＡＭ
、１０５・・・記憶部、１０６・・・操作部、１０７・・・表示体制御部、１０８・・・
タブレット、１０９・・・ＶＲＡＭ、１１０・・・通信部、２０１・・・目印情報記憶部
、２０２・・・手書き情報記憶部、２０３・・・反転表示情報記憶部、２０４・・・文書
データ記憶部、２０５・・・ＧＵＩ画像記憶部、２０６・・・目印画像生成部、２０７・
・・手書き画像生成部、２０８・・・文書画像生成部、２０９・・・ＧＵＩ画像生成部、
２１０・・・画像合成部
【図１】
2011076327.tif 000003
【図２】
2011076327.tif 000004
【図３】
2011076327.tif 000005
【図４】
2011076327.tif 000006
【図５】
2011076327.tif 000007
【図６】
2011076327.tif 000008
【図７】
2011076327.tif 000009
【図１０】
2011076327.tif 000010
【図８】
2011076327.tif 000011
【図９】
2011076327.tif 000012